(57)【要約】【課題】  ばねの耐久性を良くできて安定性を良くでき、ベースの縦溝に出入りする際のクリック感を良くでき、ばねの伸縮荷重の選定範囲を広くすることができる。【解決手段】  ベース１に円状のバックホルダー２が回転可能に配置され、バックホルダーには外縁近傍箇所に円状溝３が形成され、外縁壁４にばね５が入り込む開設部４ａが設けられ、バックホルダーの内側の円状溝にばねを係止する突出部６が形成され、ベースの円形の内側壁面１ａに複数の縦溝１ｂが形成され、バックホルダーの開設部に略へ字形のばねが配置され、ばねの両端が両側の突出部に係止され、ばねの頂部がベースの縦溝に外向きに入り込み、バックホルダーの回転でばねの頂部がクリック感をもって縦溝に入り込み、ばねの頂部と両端部にコイルばね部５ａ、５ｂ、５ｃが設けられ、バックホルダーの回転でばねの頂部のコイルばね部がベースの縦溝にクリック感をもって入り込む。【選択図】  図１
2008171046.tif 000002
【特許請求の範囲】
【請求項１】
ベースに円状のバックホルダーが回転可能に配置され、前記バックホルダーには外縁近傍箇所に円状溝が形成され、その外縁壁にばねが入り込む開設部が設けられると共に前記バックホルダーの内側の前記円状溝の一部の両側に前記ばねを係止するための突出部が形成され、前記ベースの円形の内側壁面に複数の縦溝が形成されており、前記バックホルダーの開設部に外向きに付勢された略へ字形のばねが配置され、前記ばねの両端が前記両側の突出部に係止されて前記へ字形のばねの頂部が前記ベースの縦溝に外向きに付勢されて入り込んでおり、前記バックホルダーの回転によって前記ばねの頂部がクリック感をもって次の縦溝に入り込むようにしたダイヤルクリック機構において、前記ばねの頂部と両端部にコイルばね部が設けられていて、前記バックホルダーの回転によって前記ばねの頂部のコイルばね部が前記ベースの縦溝にクリック感をもって入り込むように構成したことを特徴とするダイヤルクリック機構。
【請求項２】
ベースに円状のバックホルダーが回転可能に配置され、前記バックホルダーには外縁近傍箇所に円状溝が形成され、その外縁壁にばねが入り込む開設部が設けられると共に前記バックホルダーの内側の前記円状溝の一部の両側に前記ばねを係止するための突出部が形成され、前記ベースの円形の内側壁面に複数の縦溝が形成されており、前記バックホルダーの開設部に外向きに付勢された略へ字形のばねが配置され、前記ばねの両端が前記両側の突出部に係止されて前記へ字形のばねの頂部が前記ベースの縦溝に外向きに付勢されて入り込んでおり、前記バックホルダーの回転によって前記ばねの頂部がクリック感をもって次の縦溝に入り込むようにしたダイヤルクリック機構において、前記ばねの頂部にコイルばね部が設けられていると共に、前記ばねの両端に前記バックホルダーの突出部に係止する係止部が設けられていて、前記バックホルダーの回転によって前記ばねの頂部のコイルばね部が前記ベースの縦溝にクリック感をもって入り込むように構成したことを特徴とするダイヤルクリック機構。
【請求項３】
前記ばねの両端は、内側に屈曲された略へ字状の係止部に形成されていて、この略へ字状の係止部が前記バックホルダーの突出部に係止されている請求項２に記載のダイヤルクリック機構。
【発明の詳細な説明】
【技術分野】
【０００１】
本発明は、ベースに円状のバックホルダーが回転可能に配置され、バックホルダーには外縁近傍箇所に円状溝が形成され、その外縁壁にばねが入り込む開設部が設けられると共にバックホルダーの内側に円状溝の一部の両側にばねを係止するための突出部が形成され、ベースの円形の内側壁面に複数の縦溝が形成されており、バックホルダーの開設部に外向きに付勢された略へ字形のばねが配置され、ばねの両端が両側の突出部に係止されてへ字形のばねの頂部がベースの縦溝に外向きに付勢されて入り込んでおり、バックホルダーの回転によってばねの頂部がクリック感をもって次の縦溝に入り込むようにしたダイヤルクリック機構に関するものである。
【背景技術】
【０００２】
従来のダイヤルクリック機構は、例えば、図３に示すように、ベース１０１に円状のバックホルダー１０２が回転可能に配置され、バックホルダー１０２には外縁近傍箇所に円状溝１０３が形成されている。さらに、外縁壁１０４に板ばね１０５が入り込む開設部１０６が設けられると共にバックホルダー１０２の内側に円状溝１０３の両側に板ばね１０５を係止するための突出部１０７、１０７が形成されている。更に、ベース１０１の円形の内側壁面に複数の縦溝１０８が形成されている。更に、バックホルダー１０２の開設部１０７に外向きに付勢された略へ字形の板ばね１０５が配置され、板ばね１０５の両端１０９、１０９が両側の突出部１０７、１０７に係止されて板ばね１０５のＵ字形の頂部１１０がベース１０１の縦溝１０８に外向きに付勢されて入り込んでいる。そして、バックホルダー１０２の回転によって板ばね１０５の頂部１１０がクリック感をもって次の縦溝１０８に入り込むように構成されている。
【０００３】
ところが、この従来のダイヤルクリック機構においては、板ばね１０５を使用していたために、耐久性が良くなく、ばね力が弱くなってクリック感が出なくなり、また、板ばねの荷重を変えることができないために、クリック感の度合いを調整し難いという問題があった。
【０００４】
第１の従来技術を図４、図５に示す。この従来のビデオカメラは、図４、図５に示すように、カメラモードのプログラムを指定するプログラムノブを具備し、プログラムノブの回転により電源のオン／オフモードとＶＣＲモードとを実行するモード変換手段と、プログラムノブの回転によりレンズ部を開閉するレンズカバーを駆動させるレンズカバー開閉手段とを含んで構成され、プログラムノブは、ダイアル２１６と、ダイアル２１６の下部に結合されて上面に安着溝２２４が形成されたインナーケース２１４と、インナーケース２１４の安着溝２２４に挿入されてダイヤル２１６をインナーケース２１４で弾力的に支持するプレートスプリング２１５とを含み、インナーケース２１４の安着溝２２４は、インナーケース２１４の上面に内外側壁２２２、２２３が形成されて、外側壁２２３は相互対向する一対の開口２２５により分離されて、プレートスプリング２１５の両端部には屈曲部２１５ａが形成されて外外壁２２３の両側開口２２５、２２５を通してプレートスプリング２１５の屈曲部が突出される状態で安着溝２２４に安着される。（例えば、特許文献１参照）。
【０００５】
ところが、これにおいては、プレートスプリング２１５が板ばねで形成されているために、耐久性が良くなく、ばね力が弱くなるという問題があった。
【特許文献１】特開平１０−１２６６６０号公報
【発明の開示】
【発明が解決しようとする課題】
【０００６】
本発明は上記従来の問題に鑑みてなされたものであって、ばねの耐久性を良くすることができて安定性を良くすることができ、ベースの縦溝に出入りする際のクリック感を良くすることができ、しかも、ばねの伸縮荷重の選定範囲を広くすることができるダイヤルクリック機構を提供することを目的としている。
【課題を解決するための手段】
【０００７】
本発明は、上記課題を解決するために提案されたものであって、請求項１に記載の発明は、ベースに円状のバックホルダーが回転可能に配置され、前記バックホルダーには外縁近傍箇所に円状溝が形成され、その外縁壁にばねが入り込む開設部が設けられると共に前記バックホルダーの内側の前記円状溝の一部の両側に前記ばねを係止するための突出部が形成され、前記ベースの円形の内側壁面に複数の縦溝が形成されており、前記バックホルダーの開設部に外向きに付勢された略へ字形のばねが配置され、前記ばねの両端が前記両側の突出部に係止されて前記へ字形のばねの頂部が前記ベースの縦溝に外向きに付勢されて入り込んでおり、前記バックホルダーの回転によって前記ばねの頂部がクリック感をもって次の縦溝に入り込むようにしたダイヤルクリック機構において、前記ばねの頂部と両端部にコイルばね部が設けられていて、前記バックホルダーの回転によって前記ばねの頂部のコイルばね部が前記ベースの縦溝にクリック感をもって入り込むように構成したことを特徴としている。
【０００８】
請求項２に記載の発明は、ベースに円状のバックホルダーが回転可能に配置され、前記バックホルダーには外縁近傍箇所に円状溝が形成され、その外縁壁にばねが入り込む開設部が設けられると共に前記バックホルダーの内側の前記円状溝の一部の両側に前記ばねを係止するための突出部が形成され、前記ベースの円形の内側壁面に複数の縦溝が形成されており、前記バックホルダーの開設部に外向きに付勢された略へ字形のばねが配置され、前記ばねの両端が前記両側の突出部に係止されて前記へ字形のばねの頂部が前記ベースの縦溝に外向きに付勢されて入り込んでおり、前記バックホルダーの回転によって前記ばねの頂部がクリック感をもって次の縦溝に入り込むようにしたダイヤルクリック機構において、前記ばねの頂部にコイルばね部が設けられていると共に、前記ばねの両端に前記バックホルダーの突出部に係止する係止部が設けられていて、前記バックホルダーの回転によって前記ばねの頂部のコイルばね部が前記ベースの縦溝にクリック感をもって入り込むように構成したことを特徴としている。
【０００９】
請求項３に記載の発明は、請求項２に記載の発明において、前記ばねの両端は、内側に屈曲された略へ字状の係止部に形成されていて、この略へ字状の係止部が前記バックホルダーの突出部に係止されているものである。
【発明の効果】
【００１０】
請求項１に記載の発明によれば、ベースの円形の内側壁面の縦溝に入り込む略へ字形のばねとして頂部と両端にコイルばね部が設けられたものを使用しているから、ばね力が弱くなることがなく、耐久性を良くすることができ、しかも、頂部のコイルばね部がベースの縦溝に出入りする際のクリック感を良くすることができる。また、コイルばね部の巻数を変えることによって、ばねの伸縮荷重の設定範囲を広くすることができる。更に、ばねの両端にコイルばね部を設けているから、この両端のコイルばね部が円状のバックホルダーの両端の突出部に係止されていることにより、ばねの伸縮を十分に吸収することができる。
【００１１】
請求項２に記載の発明によれば、ベースの円形の内側壁面の縦溝に入り込む略へ字形のばねとして頂部にコイルばね部が設けられたものを使用しているから、ばね力が弱くなることがなく、耐久性を良くすることができ、しかも、頂部のコイルばね部がベースの縦溝に出入りする際のクリック感を良くすることができる。また、コイルばね部の巻数を変えることによって、ばねの伸縮荷重の設定範囲を広くすることができる。
【００１２】
請求項３に記載の発明によれば、略へ字形のばねの両端が、内側に屈曲された略へ字形の係止部に形成されているから、この両端の係止部をバックホルダーの突出部に確実に係止することができ、しかも両端の係止部の形状を簡単化することができる。
【発明を実施するための最良の形態】
【００１３】
以下、本発明に係るダイヤルクリック機構の実施の形態について、図を参照しつつ説明する。
【００１４】
図１は本発明の第１実施形態のダイヤルクリック機構を示す斜視図である。
【００１５】
この第１実施形態のダイヤルクリック機構は、図１に示すように、ベース１に円状のバックホルダー２が回転可能に配置されている。バックホルダー２の外縁近傍箇所に円状溝３が形成され、バックホルダー２の外縁壁４にばね５が入り込む開設部４ａが設けられる共にバックホルダー２の内側の円状溝３の一部の両側にばね５の両端を係止するための突出部６、６が形成されている。また、ベース１の円形の内側壁面１ａに複数の縦溝１ｂが形成されている。ばね５は略へ字形に形成され、その頂部と両端部にコイルばね部５ａ、５ｂ、５ｃが設けられている。ばね５の頂部のコイルばね部５ａがベース１の縦溝１ｂに入り込み、両端のコイルばね部５ｂ、５ｃがバックホルダー２の突出部６、６の両側に係止されている。バックホルダー２が回転するとばね５の頂部のコイルばね部５ａがベース１の縦溝１ｂにクリック感をもって入り込むように構成されている。
【００１６】
従って、この第１実施形態によれば、ベース１の円形の内側壁面１ａの縦溝１ｂに入り込む略へ字形のばね５として頂部と両端にコイルばね部５ａ、５ｂ、５ｃが設けられたものを使用しているから、ばね力が弱くなることがなく、耐久性を良くすることができ、しかも、頂部のコイルばね部５ａがベース１の縦溝１ｂに出入りする際のクリック感を良くすることができる。また、コイルばね部５ａ、５ｂ、５ｃの巻数を変えることによって、ばね５の伸縮荷重の設定範囲を広くすることができる。更に、ばね５の両端にコイルばね部５ｂ、５ｃを設けているから、この両端のコイルばね部５ｂ、５ｃが円状のバックホルダー２の両端の突出部６、６に係止されていることにより、ばねの伸縮を十分に吸収することができる。
【００１７】
図２は第２実施形態のダイヤルクリック機構を示す斜視図である。尚、上記した第１実施形態と同一部材、同一箇所には、同一符号を付してその説明を省略する。
【００１８】
この第２実施形態のダイヤルクリック機構は、略へ字形のばね５Ａの頂部にコイルばね部５ａが設けられ、その両端に内側に屈曲された略へ字形の係止部５ｄ、５ｅに形成されていて、この略へ字形の係止部５ｄ、５ｅがバックホルダー２の突出部６、６に係止されている。
【００１９】
従って、この第２実施形態によれば、略へ字形のばね５Ａの両端が、内側に屈曲された略へ字形の係止部５ｄ、５ｅに形成されているから、この両端の係止部５ｄ、５ｅをバックホルダー２の突出部６、６に確実に係止することができ、しかも両端の係止部５ｄ、５ｅの形状を簡単化することができる。
【図面の簡単な説明】
【００２０】
【図１】本発明の第１実施形態のダイヤルクリック機構を示す斜視図である。
【図２】第２実施形態のダイヤルクリック機構を示す斜視図である。
【図３】従来のダイヤルクリック機構の斜視図である。
【図４】従来のビデオカメラのプログラムノブを分解した状態の分解斜視図である。
【図５】図４におけるプログラムノブの結合状態を示す断面図である。
【符号の説明】
【００２１】
１      ベース
１ａ    内側壁面
１ｂ    縦溝
２      バックホルダー
３      円状溝
４      外縁壁
４ａ    開設部
５      ばね
５Ａ    ばね
５ａ    コイルばね部
５ｂ    コイルばね部
５ｃ    コイルばね部
５ｄ    略へ字形の係止部
５ｅ    略へ字形の係止部
６      突出部
【図１】
2008171046.tif 000003
【図２】
2008171046.tif 000004
【図３】
2008171046.tif 000005
【図４】
2008171046.tif 000006
【図５】
2008171046.tif 000007